(57)【要約】【課題】少ない部品点数で、かつ効果的に走査線22の湾曲を補正すること。【解決手段】光線３を走査する回転多面鏡７と、光線３の走査方向全域にわたって形成される反射鏡11と、を有し、光線３を像担持体12上に走査する光学走査装置１において、反射鏡11は、反射鏡11を支持する支持部材13と、反射鏡11を支持部材13側へ押圧する押圧部材18と、の間に挟まれて保持され、押圧部材18は、光線３の主走査方向に移動可能に構成されることを特徴とする。【選択図】  図２
2006065310.tif 000002
【特許請求の範囲】
【請求項１】
光源から出射するレーザ光を偏向する偏向器と、前記偏向器によって偏向されたレーザ光を被走査面に導く光学素子と、前記光学素子の長手方向端部付近を支持する支持部材と前記支持部材と協同して前記光学素子を挟み込む押圧部材とを有しレーザ光によって被走査面に形成される走査線の湾曲を補正する湾曲補正機構と、を有する光学走査装置において、
前記支持部材による支点と前記押圧部材による押圧点の間の前記長手方向の距離が調整可能になっていることを特徴とする光学走査装置。
【請求項２】
前記支持部材の位置は固定されており、前記押圧点の位置が前記長手方向に調整可能になっていることを特徴とする請求項１に記載の光学走査装置。
【請求項３】
前記押圧部材による前記押圧点の位置は、前記長手方向に関し前記支持部材による前記支点の位置を越えて移動可能になっていることを特徴とする請求項１に記載の光学走査装置。
【請求項４】
前記押圧部材を前記長手方向に移動させることにより前記押圧点の位置が調整可能になっていることを特徴とする請求項２に記載の光学走査装置。
【請求項５】
前記押圧部材には前記押圧部材を前記長手方向に案内するための長穴が設けられていることを特徴とする請求項４に記載の光学走査装置。
【請求項６】
前記押圧部材は前記光学素子の複数の面を押圧することを特徴とする請求項４に記載の光学走査装置。
【請求項７】
前記押圧部材は、前記光学素子の長手方向の一部を前記支持部材と協同して包み込むように前記長手方向に対して交差する方向の異なる２点で固定されていることを特徴とする請求項６に記載の光学走査装置。
【請求項８】
前記押圧部材が前記光学素子を押圧した状態で前記押圧点の位置が調整可能になっていることを特徴とする請求項２に記載の光学走査装置。
【請求項９】
前記押圧部材は、前記光学素子を押圧する力を付与するばね部と、前記ばね部にスライド可能に取り付けられており前記光学素子と接触する駒部と、を有し、前記駒部を前記長手方向に移動させることにより前記押圧点の位置が調整可能になっていることを特徴とする請求項２に記載の光学走査装置。
【請求項１０】
前記押圧部材は更に、前記駒部の移動を案内する案内部を有することを特徴とする請求項９に記載の光学走査装置。
【請求項１１】
前記ばね部と前記駒部は接着剤によって固定されていることを特徴とする請求項９に記載の光学走査装置。
【請求項１２】
前記押圧部材は前記駒部の移動を規制する移動規制機構を有することを特徴とする請求項９に記載の光学走査装置。
【請求項１３】
前記湾曲補正機構は前記光学素子の長手方向両端部付近に夫々設けられていることを特徴とする請求項１に記載の光学走査装置。
【請求項１４】
前記装置は更に、前記偏向器と前記光学素子と前記湾曲補正機構を収容する光学箱を有し、前記支持部材は前記光学箱の一部分であることを特徴とする請求項１に記載の光学走査装置。
【請求項１５】
前記光学素子は前記レーザ光を反射するミラーであることを特徴とする請求項１に記載の光学走査装置。
【請求項１６】
前記光学素子は前記レーザ光が透過するレンズであることを特徴とする請求項１に記載の光学走査装置。
【請求項１７】
前記偏向器は回転多面鏡であることを特徴とする請求項１に記載の光学走査装置。
【発明の詳細な説明】
【技術分野】
【０００１】
本発明は、複写機やプリンタ等の画像形成装置に搭載されるレーザスキャナユニットのような光学走査装置に関し、特に、ミラーの湾曲量を調整して走査線の湾曲を補正できる走査線湾曲補正機構を有する光学走査装置に関する。
【背景技術】
【０００２】
電子写真記録技術を用いたカラー複写機やカラープリンタとして、複数の画像形成部をタンデム型に配置したものがある。このタンデム型の画像形成装置は、利用可能な記録メディアが比較的多く、記録速度も速いというメリットを有しており、近年のカラー画像形成装置の主力形態になりつつある。
【０００３】
各画像形成部（通常４つの画像形成部）は、感光体と、感光体を帯電する帯電器と、帯電した感光体を画像情報に応じたレーザ光で走査する光学走査装置と、感光体上に形成された静電潜像をトナーで現像する現像器と、感光体上に形成されたトナー像を記録紙（或いは中間転写体）に転写する転写帯電器と、を有する。
【０００４】
このようなタンデム型の画像形成装置では、記録紙（或いは中間転写体）上に重ねられる４色のトナー像の色ずれを抑えるために、各光学走査装置から出射するレーザ光による走査線の形状を補正し、走査線形状のずれを抑える必要がある。補正項目は種々存在するが、その中の１つに走査線の湾曲補正がある。
【０００５】
レーザ光による走査線が湾曲する原因は、光学走査装置に搭載されるfθレンズやミラーの光学箱に対する取り付け公差、これら光学素子自体の製造公差、等種々存在する。例えば、光学走査装置にはポリゴンミラーによって偏向されたレーザ光を反射するミラーが搭載されているが、このミラーのガラス基板に反りがないようにミラーを製造するのは非常に難しく、通常若干の反りがある。このミラーの反りも走査線が湾曲する原因の一つである。
【０００６】
走査線の湾曲を補正する方法の１つとして、光学走査装置に設けられているレーザ光反射ミラーの湾曲度合いを調整する方法がある。例えば、特開平8−146325号、特開平10−186257号、特開平11−231240号、特開2000−180778号、特開2000−235290号、特開2000−258713号、特開2001−117040号、特開2003−270573号には、ミラーの湾曲度合いを調整する機構（走査線湾曲補正機構）を設けた光学走査装置が開示されている。
【０００７】
これらの特許文献に記載されている湾曲補正機構はいずれも、ミラーの長手方向中央部や長手方向両端部に設けたミラー押圧量調整手段によってミラー湾曲度合いを調整して走査線の湾曲を補正するものである。
【０００８】
例えば、特開2001−117040号に記載されている光学走査装置は、ミラーの長手方向両端部に押圧量調整ネジが設けてあり、このネジを回してミラーの湾曲度合いを調整している。
【０００９】
また、特開2000−180778号に記載されている光学走査装置は、ミラーの長手方向中央部に押圧量調整ネジが設けてあり、このネジを回してミラーの湾曲度合いを調整している。
【００１０】
【特許文献１】特開平８−１４６３２５号公報
【特許文献２】特開平１０−１８６２５７号公報
【特許文献３】特開平１１−２３１２４０号公報
【特許文献４】特開２０００−２３５２９０号公報
【特許文献５】特開２０００−２５８７１３号公報
【特許文献６】特開２００３−２７０５７３号公報
【特許文献７】特開２００１−１１７０４０号公報
【特許文献８】特開２０００−１８０７７８号公報
【発明の開示】
【発明が解決しようとする課題】
【００１１】
本発明は、これらの従来技術に代わる簡素な走査線湾曲補正機構を有する光学走査装置を提供するものである。
【課題を解決するための手段】
【００１２】
上述の課題を解決するための本発明は、光源から出射するレーザ光を偏向する偏向器と、前記偏向器によって偏向されたレーザ光を被走査面に導く光学素子と、前記光学素子の長手方向端部付近を支持する支持部材と前記支持部材と協同して前記光学素子を挟み込む押圧部材とを有しレーザ光によって被走査面に形成される走査線の湾曲を補正する湾曲補正機構と、を有する光学走査装置において、前記支持部材による支点と前記押圧部材による押圧点の間の前記長手方向の距離が調整可能になっていることを特徴とする。
【発明の効果】
【００１３】
以上の構成によれば、簡単な構造の走査線湾曲補正機構を有する光学走査装置を提供することができる。
【発明を実施するための最良の形態】
【００１４】
〔第１実施形態〕
図を用いて本発明の第１実施形態について説明する。説明にあたり、画像形成装置の全体説明をした後、光学走査装置の詳細な構成について説明する。
【００１５】
（画像形成装置）
まず、画像形成装置について説明する。本実施形態においては、複数の像担持体（感光体）を有するカラー画像形成装置について説明する。図８は画像形成装置の概略説明図である。
【００１６】
本実施形態の画像形成装置は、４つの画像形成部をタンデム型に配置したフルカラープリンタである。各画像形成部は、感光体と、感光体を帯電する帯電器と、帯電した感光体を画像情報に応じたレーザ光で走査する光学走査装置と、感光体上に形成された静電潜像をトナーで現像する現像器と、感光体上に形成されたトナー像を記録紙（或いは中間転写体）に転写する転写帯電器と、を有する。ここで説明する４つの感光体ドラムは、それぞれ、現像される色に対応している。即ちシアンはＣ、イエローはＹ、マゼンタはＭ、ブラックはＢＫとなる。以下、詳述する。
【００１７】
感光体ドラム12（12Ｃ、12Ｙ、12Ｍ、12ＢＫ）の周辺には、感光体ドラム12を一様に帯電する一次帯電器103（103Ｃ、103Ｙ、103Ｍ、103ＢＫ）と、帯電した感光体を画像情報に応じたレーザ光で走査する光学走査装置１（１Ｃ、１Ｙ、１Ｍ、１ＢＫ）と、静電潜像にトナーを供給することにより現像を行う現像器104（104Ｃ、104Ｙ、104Ｍ、104ＢＫ）と、紙等の転写材Ｐに対してトナー像の転写を行う転写ローラ105（105Ｃ、105Ｙ、105Ｍ、105ＢＫ）と、転写されずに残ったトナーをクリーニングするクリーナ106（106Ｃ、106Ｙ、106Ｍ、106ＢＫ）とが配設される。また、感光体ドラム12と転写ローラ105に挟まれる位置に、転写材Ｐを搬送するための搬送ベルト107が、駆動ローラ124等に張架されて配設される。
【００１８】
また、搬送ベルト107の下部には、紙等の転写材Ｐを積載保持する給送トレイ121と、給送トレイ121から転写材Ｐを繰り出すための給送ローラ122と、転写材Ｐの姿勢を整えつつタイミングを合わせて転写材Ｐを搬送ベルト107へ供給するレジストローラ123と、を有する。また、搬送ベルト107の転写材Ｐの搬送方向下流には、転写材Ｐ上に転写されたトナー像を定着する定着器125と、装置外に転写材Ｐを排出する排出ローラ126が配設される。
【００１９】
この構成により、画像形成装置は、次のようにして画像を形成する。まず、一次帯電器103により一様に帯電された状態の感光体ドラム12に対して、光学走査装置１からレーザービーム（光線）３Ｃ、３Ｙ、３Ｍ、３ＢＫが照射される。該光線は、画像情報に基づいて各々光変調されているため、各感光体ドラム12上には、各々の画像情報に応じた静電潜像が形成されることになる。
【００２０】
前記静電潜像は、現像器104により、シアン、イエロー、マゼンタ、ブラックのトナーが供給されることにより、可視像化される。
【００２１】
一方、給送トレイ121上に積載されている転写材Ｐは、給送ローラ122によって１枚ずつ順に給送され、レジストローラ123によって画像の書き出しタイミングに同期をとって搬送ベルト107上に送り出される。搬送ベルト107上を精度よく搬送されている間に、感光体ドラム12面上に形成されたシアンの画像、イエローの画像、マゼンダの画像、ブラックの画像が順に転写材Ｐ上に転写されてカラー画像が形成される。この後、感光体ドラム12の面上に残っている残留トナーはクリーナ106によりクリーニングされ、感光体ドラムは次のカラー画像を形成するために再度一次帯電器103によって一様に帯電される。
【００２２】
駆動ローラ124は搬送ベルト107の送りを精度よく行っており、回転ムラの小さな駆動モータ（図示しない）と接続している。転写材Ｐ上に形成されたカラー画像は定着器125によって熱定着されたのち、排出ローラ126などによって搬送されて装置外に出力される。
【００２３】
（光学走査装置）
次に、光学走査装置１について詳細に説明する。図１は光学走査装置の斜視図である。図１及び図８に示すように、光学走査装置１は、感光体ドラム12の上方に一つの感光体ドラム12に対して一つずつ配設されている。
【００２４】
光学走査装置１は、次のような光学部品等を光学箱（筐体）５に収容している。光学箱５には、レーザービームを出射するためのレーザ光源ユニット２と、副走査方向（レーザービームが走査される主走査方向と直交する方向）にのみ集光するシリンドリカルレンズ６と、レーザービーム３の径を所定の径に制限するための光学絞り４と、複数の反射面８を有してレーザービーム３を走査する（偏向する）回転多面鏡（偏向器）７と、回転多面鏡７を回転駆動するためのモータを搭載した回路基板９と、走査レンズ（ｆθレンズ）10と、走査されるレーザービーム３を感光体ドラム12方向へ反射する折り返しミラー（反射鏡）11と、を有する。折り返しミラー11は、レーザービーム３が走査される主走査方向が長手になるように配置される。尚、本実施形態においては、走査レンズ10を２つ直列に配設して使用している。
【００２５】
この構成により、レーザ光源ユニット２から出射したレーザービーム３は、シリンドリカルレンズ６によって副走査方向にのみ集光され、光学絞り４によって所定のビーム径に制限され、回転多面鏡７の反射面８に集光される。回転多面鏡７は、反射面８に入射したレーザービーム３を主走査方向へ偏向する。偏向されたレーザービーム３は、２つの走査レンズ10を通過後、折り返しミラー11によって反射され、感光体ドラム（被走査面）12上に走査露光され、感光体ドラム12上に静電潜像を形成する。
【００２６】
（折り返しミラー（光学素子）11を支持する構成）
図２を用いて折り返しミラー11を支持する構成を詳細に説明する。図２は折り返しミラー11を光学箱５に取り付けた状態を説明する図である。図においては、折り返しミラー11の長手方向（主走査方向）の片側端部のみ図示しているが、反対側端部も同形状である。また、図２（ａ）は折り返しミラー11の一方の端部付近の斜視図、図２（ｂ）は図２（ａ）のＹ方向矢視図である。
【００２７】
図２に示すように、折り返しミラー11は、断面が長方形形状をしており、レーザービーム３を反射する反射面14と、その隣接面16とを有する。図において反射面14の幅をｗとし、隣接面16の幅をｈとしている。ここで、折り返しミラー11の反射面14のミラー長手方向両端部付近は台座15に載置され、隣接面16は台座17に載置されることで、折り返しミラー11はその下部の位置決めがなされる。ここで、台座15と台座17を総称してミラー支持部材（支持部材）13と称し、折り返しミラー11は長手方向の２点において、その下部を、２つのミラー支持部材13Ｒ、13Ｌによって支持される（図３参照）。なお、台座15と台座17は光学箱5の一部になっている（光学箱５との一体成型である）。
【００２８】
また、光学箱５には折り返しミラー11の上部の各ミラー支持部材13Ｒ、13Ｌに対向する位置において、それぞれ２つの板状の弾性部材（板バネ18、板バネ21）が配設される。これにより、折り返しミラー11はミラー支持部材13方向に押圧支持される。つまり、２つの板バネ18、板バネ21は支持部材13Ｒ、13Ｌと協同してミラー11を挟み込んでいる。具体的には、板バネ（押圧部材）18の突起形状の押圧部18ａが、折り返しミラー11の反射面14の裏側の面を押圧して、折り返しミラー11を台座15方向に付勢する。また、板バネ21の突起形状の押圧部21ａが、折り返しミラー11の隣接面16の裏側の面を押圧して、折り返しミラー11を台座17方向に付勢する。
【００２９】
板バネ18、21はそれぞれ、ネジＳにより光学箱５に固定支持される。ここで、板バネ18には、ガイド穴20と長穴19が形成されている。ガイド穴20は、光学箱５のガイド凸部５ａに沿って板バネ18を長手方向に摺動移動させるためのものである。また、長穴19は、ネジＳによる固定をするためのものであり、ネジの頭よりも小さい幅で、ガイド穴20と平行に形成されている。このように、板バネ18は折り返しミラー11の長手方向と平行に移動することが可能であり、かつ板バネ18は、折り返しミラー11の反射面14の裏側の面を押圧することが可能である。
【００３０】
（走査線の湾曲を補正する構成）
図３及び図４を用いて走査線の湾曲を補正する構成（走査線湾曲補正機構）を説明する。図３は、板バネ18の押圧位置を折り返しミラー11の長手方向に移動させた場合の、折り返しミラー11の変形の様子を示しており、図２を矢印Ａ方向から見た模式図である。また図４は折り返しミラー11の変形の結果、感光体ドラム12上に生じる走査線がどのように変化するかを説明する図である。
【００３１】
本実施形態の画像形成装置を製造する過程において、ｆθレンズや折り返しミラー等の光学素子の位置ずれや傾きなどの要因によって感光体ドラム12上の走査線の湾曲が発生した場合、組立作業者が板バネ18の位置を調整して走査線の湾曲を打ち消す方向に折り返しミラー11を湾曲させる。これにより、走査線の湾曲が補正されるものである。この補正方法について、以下に詳細に説明する。
【００３２】
まず、図３を用いて、折り返しミラー11を光学箱５に対して平行な位置から湾曲させる構成について説明する。図３（ａ）のように、折り返しミラー11を光学箱５に対して平行に保持する場合には、板バネ18を、左右のミラー支持部材13Ｌ、13Ｒに対向する位置において固定する。つまり、ミラー11の長手方向において、左右の板バネ18の押圧部18ａ（力点、押圧点）の位置が、左右のミラー支持部材13Ｌ、13Ｒ（支点）の位置に重なる。すると、板バネ18による押圧力がミラー11を湾曲させる方向に作用せず、バネ18とミラー支持部材13とは、折り返しミラー11を湾曲させることなく保持する。
【００３３】
図３（ｂ）のように、折り返しミラー11を光学箱５に対して凸状に湾曲させる場合には、板バネ18を、左右のミラー支持部材13Ｌ、13Ｒに対向する位置よりも外側において固定する。つまり、ミラー11の長手方向において、左右の板バネ18の押圧部18ａ（力点）の位置が、左右のミラー支持部材13Ｌ、13Ｒ（支点）の位置よりも外側になる。すると、ミラー支持部材13Ｌ、13Ｒが２箇所で折り返しミラー11の走査方向における内側下部を押し、板バネ18が折り返しミラー11の走査方向における外側上部を押す。これにより、折り返しミラー11が光学箱５に対して凸形状に曲がるように板バネ18の力がミラー11に働き、折り返しミラー11は、光学箱５に対して凸状に湾曲する。なお、板バネ18をスライドさせる時はネジSを一端緩める必要があるが、このネジSの位置はミラー11の長手方向において常に一定である。また、支点と力点（押圧点）の間の距離ｄを調整することにより、ミラー11の湾曲度合いを調整することができる。
【００３４】
図３（ｃ）のように、折り返しミラー11を光学箱５に対して凹状に湾曲させる場合には、板バネ18を、左右のミラー支持部材13Ｌ、13Ｒに対向する位置よりも内側において固定する。つまり、ミラー11の長手方向において、左右の板バネ18の押圧部18ａ（力点）の位置が、左右のミラー支持部材13Ｌ、13Ｒ（支点）の位置よりも内側になる。すると、ミラー支持部材13Ｌ、13Ｒが２箇所で折り返しミラー11の走査方向における外側下部を押し、板バネ18が折り返しミラー11の走査方向における内側上部を押す。これにより、折り返しミラー11が光学箱５に対して凹形状に曲がるように板バネ18の力がミラー11に働き、折り返しミラー11は、光学箱５に対して凹状に湾曲する。この場合も、支点と力点（押圧点）の間の距離ｄを調整することにより、ミラー11の湾曲度合いを調整することができる。
【００３５】
折り返しミラー11が湾曲すると、折り返しミラー11に反射されて感光体ドラム12上に形成される走査線が湾曲する。図４に感光体ドラム12上で走査線が湾曲する方向を示す。図４に示す、感光体ドラム12上の走査線22（ａ）、22（ｂ）、22（ｃ）は、それぞれ、折り返しミラー11が図３（ａ）、（ｂ）、（ｃ）の方向に湾曲したときの走査線を示している。このように、折り返しミラー11の湾曲に応じて、折り返しミラー11によって反射されるレーザービーム３により形成される走査線22も湾曲する。
【００３６】
ところで、タンデム型の画像形成装置の場合、複数の画像形成部に対応する複数の光学走査装置を必要とするが、走査線湾曲補正を実施する前の段階で、例えば第１の光学走査装置から出射するレーザ光による走査線が凹形状になっており、第２の光学走査装置から出射するレーザ光による走査線が凸形状になっていることも考えられる。つまり、第１の光学走査装置から出射するレーザ光による走査線の湾曲方向と第２の光学走査装置から出射するレーザ光による走査線の湾曲方向が異なっていることも考えられる。
【００３７】
このように湾曲方向が異なる複数の走査線を、光学素子の湾曲状態を調整することにより１つの走査線形状に合わせ込む場合、第１の光学走査装置が搭載する光学素子の湾曲調整方向と、第２の光学走査装置が搭載する光学素子の湾曲調整方向と、は異なる。したがって、ミラーの湾曲調整手段としては、凹形状の走査線を補正する場合、及び凸形状の走査線を補正する場合、いずれにも対応できるように調整の自由度が大きい構成が好ましい。
【００３８】
前述したように、特開2001−117040号に記載されている光学走査装置は、ミラーの長手方向両端部に押圧量調整ネジが設けてあり、このネジを回してミラーの湾曲度合いを調整している。
【００３９】
しかしながら、ネジの回動量に拘わらず調整可能なミラーの湾曲方向は一方向（凹面形状になる方向または凸面形状になる方向のいずれか一方）であるので、走査線の湾曲調整の自由度は小さい。
【００４０】
また、特開2000−180778号に記載されている光学走査装置は、ミラーの長手方向中央部に押圧量調整ネジが設けてあり、このネジを回してミラーの湾曲度合いを調整している。
【００４１】
しかしながら、この場合もネジの回動量に拘わらず調整可能なミラーの湾曲方向は一方向であるので、走査線の湾曲調整の自由度は小さい。
【００４２】
また、ミラーの長手方向中央部と両端部の両方に押圧量調整ネジを設けることにより、ミラーを凹面形状になる方向及び凸面形状になる方向の２方向に調整可能とすることも考えられるが、この場合、押圧調整手段の設置数が増えるのでコストが掛かってしまう。
【００４３】
これに対し、本実施形態の光学走査装置の場合、支持部材15による支点と押圧部材18による力点（押圧点）の間の距離ｄを調整して走査線の湾曲度合いを調整できるだけでなく、押圧部材18による押圧点の位置が、ミラー長手方向に関して、支持部材15による支点の位置を越えて移動可能になっている。この構成により、凹形状の走査線を補正する場合、及び凸形状の走査線を補正する場合、いずれにも対応でき、簡単な構成で湾曲補正の自由度が非常に大きいというメリットがある。
【００４４】
上述した走査線湾曲補正機構を用いて感光体ドラム12上の走査線22の湾曲を補正する方法を以下に例示して説明する。ｆθレンズ等の光学素子の位置ずれや傾きなどによって、感光体ドラム12上に走査線22の湾曲が生じた場合、その走査線22の湾曲を相殺する方向に折り返しミラー11を湾曲させれば、走査線22の湾曲を補正することができる。
【００４５】
例えば、左右の板バネ18の押圧部18ａ（力点）の位置が、左右のミラー支持部材13Ｌ、13Ｒ（支点）の位置と重なっている状態で、感光体ドラム12上の走査線22が、図４の22（ｃ）で示すように湾曲している場合、図３（ｂ）のように左右のミラー支持部材13の外側を板バネ18で押圧固定すればよい。すると、折り返しミラーに生じる歪みによって、走査線は図４の22（ｂ）の方向に湾曲する。これにより、互いの走査線湾曲が打ち消しあって、走査線22の湾曲を補正することができる。逆に、左右の板バネ18の押圧部18ａ（力点）の位置が、左右のミラー支持部材13Ｌ、13Ｒ（支点）の位置と重なっている状態で、走査線22の湾曲する方向が図４の22（ｂ）のときは、図３（ｃ）に示すように、左右のミラー支持部材13の内側を板バネ18で押圧固定すればよい。
【００４６】
また、走査線湾曲の調整量は、ミラー支持部材13の支持点（支点）から板バネ18の押圧点（力点）までの距離ｄに依存している。このため、4つの画像形成部による色ずれが生じないように各光学走査装置１（１Ｃ、１Ｙ、１Ｍ、１ＢＫ）の板バネ18の押圧点の位置を調整することで、４つの画像形成部間の走査線のずれを補正することができる。
【００４７】
このように本実施形態の走査線湾曲補正機構は、支持部材による支持点（支点）と押圧部材による押圧点（力点）の間のミラー長手方向の距離ｄが調整可能になっている。また、支持部材の位置は固定されており、押圧点の位置がミラー長手方向に調整可能になっている。更に、押圧部材をミラー長手方向に移動させることにより押圧点の位置が調整可能になっている。更に、押圧部材による押圧点の位置は、ミラー長手方向に関し支持部材による支点の位置を越えて移動可能になっている。
【００４８】
ミラー支持部材13の支持点から板バネ18の押圧点までの距離ｄ（ｍｍ）と走査線22の湾曲量（μｍ）との関係を図５を用いて説明する。図５は、ミラー支持部材13Ｌと13Ｒとの間の距離Ｌ＝１７０ｍｍ、折り返しミラー11の厚みｈ＝５ｍｍ、折り返しミラー11の幅ｗ＝１０ｍｍの条件下で、板バネ18の押圧位置を変化させたときの、走査線湾曲量を示した実験結果である。図１０にミラー11のサイズと板バネ18による押圧方向の関係図を示す。
【００４９】
図５の横軸の符号は、図３の（＋）（−）の符号に一致している。また、縦軸の符号は図４の（＋）（−）の符号に一致している。図５より、板バネ18の押圧荷重が一定の場合、距離ｄと走査線22の湾曲量は比例関係であることが分かる。
【００５０】
本実施形態によれば、元来折り返しミラー11を保持するためだけに配設されていた板バネ18を、折り返しミラー11の長手方向に移動させる構成とした。このため、走査線湾曲を補正するための別機構が不要である。したがって、部品点数を削減することができるため、部品コスト及び当該部品の組立コストを削減することができる。また、板バネ18が、ミラー支持部材13と対向する位置よりも内側や外側を押圧できる構成、即ち押圧部材による押圧点の位置が、ミラー長手方向に関し、支持部材による支点の位置を越えて移動可能になっているので、走査線の湾曲補正の自由度が大きく、湾曲補正前の走査線形状が凹形状であっても凸形状であっても対応できる。
【００５１】
また、板バネ18のネジＳを挿入する部分を長穴19で構成した。この構成により、湾曲補正を行う際にネジＳを取り外すことなく緩めるだけで板バネを動かすことが出来るので、調整作業が容易に行える。
【００５２】
特に、複数の光学走査装置を用いたタンデム式のカラー画像形成装置においては、複数の感光体ドラム上に形成されるトナー像を重ね合わせるため、各感光体ドラムに形成される静電潜像間のずれが小さい方が好ましい。本実施形態によれば、各色の走査線湾曲を小さく抑えることができ、湾曲の凸凹方向を揃えることができるため、静電潜像のずれが小さくなる。このため、走査線湾曲が小さく、色ずれが極小の画像を安価に提供することができる。
【００５３】
〔第２実施形態〕
図６を用いて本発明の第２実施形態について説明する。本実施形態の板バネ（押圧部材）31は、前述の実施形態の板バネと同様に、折り返しミラー11を左右のミラー支持部材13と対向する位置において固定するためのものである。また、板バネ31は、折り返しミラー11の長手方向（主走査方向）に移動可能であり、板バネ31を移動させて折り返しミラー11を湾曲させ、走査線22の湾曲を補正する。折り返しミラー11を支持する板バネ31について詳細に説明する。前述と同様の構成については同符号を付すことで説明を省略する。
【００５４】
（折り返しミラー11を支持する構成）
図６を用いて折り返しミラー11を支持する構成を詳細に説明する。図６は折り返しミラー11を光学箱（筐体）42に取り付けた状態を説明する図である。図においては、折り返しミラー11の長手方向（主走査方向）の片側端部のみ図示しているが、反対側端部も同形状である。また、図６（ａ）は折り返しミラー11の一方の端部付近の斜視図、図６（ｂ）は図６（ａ）のＹ方向矢視図、図６（ｃ）は図６（ａ）のＺ方向矢視図である。
【００５５】
本実施形態の板バネ（押圧部材）31は、一枚の板金を折り返しミラー11の上部を覆うように折り返しミラー11の形状に合わせて折り曲げて加工されたものである。板バネ３１は、折り返しミラー11を押圧するための板状の弾性部32や弾性部33、これらの弾性部を囲むフレーム部３４等を有する。
【００５６】
弾性部32には、折り返しミラー11の反射面14に対向する面を、台座（支持部材）15方向に押圧する突起形状の押圧部（押圧点（力点））39が形成され、弾性部33には、折り返しミラー11の隣接面16に対向する面を台座17方向に押圧する突起形状の押圧部40が形成される。つまり、板バネ31はミラー11の異なる複数の面を押圧している。また、押圧部39と押圧部40とは、レーザービーム３の主走査方向と直交する方向の同一直線上に配列される。これらの押圧部39、40によって折り返しミラー11は光学箱42に押圧固定される。
【００５７】
板バネ31は、その弾性部33の近傍（本実施形態においては弾性部33の根元の直下）に形成される長穴35においてネジＳを挿入して締結することにより光学箱42に固定される。長穴35が形成されることにより、板バネ31は折り返しミラー11の長手方向にスライド可能である。
【００５８】
また、板バネ31は、折り返しミラー11を境にしてネジＳととは反対側に、折り返し部37を有する。折り返し部37は光学箱42に形成される溝41の側面を押圧することで、板バネ31の弾性部32の根元側を支持する。また、折り返し部37の弾性部32の近傍（本実施形態においては弾性部32の根元の直下）には、光学箱42側に形成された爪43が係止される長穴44が設けられている。これにより、板バネ31を上下方向に動かないように係止することができ、かつネジＳを緩めれば、板バネ31を折り返しミラー11の長手方向に摺動させて移動させることが可能である。つまり、板バネ31は、ミラー11の長手方向の一部を支持部材13と協同して包み込むようにミラー長手方向に対して交差する方向の異なる2点（ネジＳの位置及び爪43の位置）で固定されている。
【００５９】
以上の構成により、板バネ31を折り返しミラー11の長手方向に移動させることができる。また、本実施形態の板バネ31も、実施形態1同様、ミラー支持部材13と対向する位置よりも内側や外側を押圧できる構成、即ち押圧部材31による押圧点39の位置が、ミラー長手方向に関し、支持部材13による支点の位置を越えて移動可能になっているので、走査線の湾曲補正の自由度が大きく、湾曲補正前の走査線形状が凹形状であっても凸形状であっても対応できる。また、折り返しミラー11を押圧固定する働きをする板バネ31がミラー長手方向に移動可能なので、、走査線湾曲を補正するための別機構が不要である。さらに本実施形態においては、板バネ31に二つの弾性部32、33を設けたので、部品点数を第１実施形態と比較してさらに削減することができる。
【００６０】
また板バネ31は、長穴44を爪43に係止することで光学箱42に固定されている。このため、ネジＳを緩めた状態であっても押圧部39の押圧は開放されることがない。従って、ネジＳを緩めて板バネ31を移動させながら走査線湾曲の変化を観測することができる。すなわち、板バネ（押圧部材）31がミラー11を押圧した状態で押圧点39の位置が調整可能になっている。また、調整後にネジＳを締めて板バネ31を固定しても、走査線湾曲の調整値はほとんど変動しない。よって板バネ31による折り返しミラー11の固定と、走査線補正の調整との双方を、容易かつ精度良く行うことができる。
【００６１】
〔第３実施形態〕
図を用いて本発明の第３実施形態について説明する。本実施形態の板バネ（押圧部材）51は、前述の実施形態と同様に、折り返しミラー11を左右のミラー支持部材13と対向する位置において固定するためのものである。また、板バネ51は、折り返しミラー11の長手方向（主走査方向）に移動可能であり、板バネ51を移動させて折り返しミラー11を湾曲させ、走査線22の湾曲を補正する。折り返しミラー11を支持する板バネ51について詳細に説明する。前述と同様の構成については同符号を付すことで説明を省略する。
【００６２】
（折り返しミラー11を支持する構成）
図７を用いて折り返しミラー11を支持する構成を詳細に説明する。図７は折り返しミラー11を光学箱（筐体）62に取り付けた状態を説明する図である。図においては、折り返しミラー11の長手方向（主走査方向）の片側端部のみ図示しているが、反対側端部も同形状である。また、図７（ａ）は折り返しミラー11の一方の端部付近の斜視図、図７（ｂ）は図７（ａ）のＹ方向矢視図、図７（ｃ）は図７（ａ）のＺ方向矢視図である。
【００６３】
本実施形態の板バネ（押圧部材）51は、実施形態２同様、一枚の板金を折り返しミラー11の上部を覆うように折り返しミラー11の形状に合わせて折り曲げて加工されたものである。板バネ51は、折り返しミラー11を押圧するための板状の弾性部32や弾性部33、これらの弾性部を囲むフレーム部54等を有する。また、本実施形態の板バネ51も、実施形態1同様、ミラー支持部材13と対向する位置よりも内側や外側を押圧できる構成、即ち押圧部材51による押圧点39の位置が、ミラー長手方向に関し、支持部材13による支点の位置を越えて移動可能になっているので、走査線の湾曲補正の自由度が大きく、湾曲補正前の走査線形状が凹形状であっても凸形状であっても対応できる。
【００６４】
本実施形態の板バネ51には、弾性部32の下部にフック（係止部）65が設けられている。フック65はフレーム部54の一部を切り欠いて、折り返しミラー11方向に曲げて形成される。また、光学箱62には折り返し部37を挟んで固定する溝41が形成されている。さらに光学箱62には、溝41の側面において、フック65と対向する位置に、フック65が係止するための係止部材66を有する。本実施形態も、実施形態2同様、板バネ51は、ミラー11の長手方向の一部を支持部材13と協同して包み込むようにミラー長手方向に対して交差する方向の異なる2点（ネジＳの位置及びフック65の位置）で固定されている。
【００６５】
このため、装置筐体には、光学箱62と係止部材66との間に、フック65が入り込む係止溝67が形成される。係止溝67は、フック65よりも主走査方向に長く形成されており、その長さは少なくとも板バネ51が移動可能な長さである。このため、板バネ51を折り返しミラー11の長手方向に移動させた場合でも、確実にフック65が係止溝67に入り込み、係止部材66に係止される。尚、押圧部39、押圧部40及びフック65は、レーザービーム３の主走査方向と直交する方向の同一直線上に配列される。
【００６６】
このように板バネ51の押圧部39側は、折り返し部37の溝41の側面に対する押圧と、フック65が係止部材66と係止することで光学箱62に固定される。また、板バネ51の押圧部40側は、長穴35においてネジＳを挿入して締結することにより光学箱62に固定される。以上の構成により、長穴35、44に沿って、板バネ51を折り返しミラー11の長手方向に移動させることができる。
【００６７】
加えて、本実施形態においては、板バネ51を光学箱62に係止するフック65が板バネ51に形成されており、フック65は、押圧部39、40と同一直線上に配列されている。また、フック65の先端は常に係止部材66に当接している。このため、板バネ51をＹ方向に移動させるときにＸ軸周り（図７の矢印Ｒ方向）の回転が発生しにくい。従って、走査線22の湾曲を補正する際に、弾性部32、33の荷重変動を抑制することができる。この結果、走査線22の湾曲補正が行いやすい光学走査装置を提供することが可能となる。
【００６８】
なお、前述の実施形態１〜３においては、走査線22の湾曲補正時における、ミラー支持部材13から板バネによる押圧位置までの距離ｄを左右同一の距離として説明したが、これに限るものではない。即ち、距離ｄは左右で異なる長さとしてもよい。
【００６９】
また、折り返しミラー11の長さは実施形態の実験結果に示したＬ＝１７０ｍｍという長さは例示であり、装置の大きさに応じて好適な長さに設定することができる。
【００７０】
また、板バネの形状は、前述の実施形態に限定されず、いかなる形状であってもよい。また、折り返しミラー11の固定には前述の板バネ以外の固定手段を用いても構わず、折り返しミラー11の長手方向にスライド可能であればよい。また、ミラーの材質は板ガラスを用いることができるが、これに限るものではない。また、反射面14は平面に限定されるものではなく、湾曲ミラーでも良い。
【００７１】
また、前述の実施形態１〜３においては、１つの光学走査装置１からは１つの感光体ドラム12に対して走査線22が導かれたが、これに限るものではない。例えば、図９に示すように、１つの光学走査装置201に、複数（図９では２つであるが４つでもよい）の光源202ａ、202ｂを搭載し、１つの光学走査装置201から複数の感光体ドラムに向かう複数のレーザービーム203ａ、203ｂを出射する構成でもよい。このように構成すれば、前述の実施形態１〜３においては４つの光学走査装置を必要としたが、２つの光学走査装置により構成することができ、部品点数の削減となる。また、ある一つの走査線の湾曲に合わせて他の走査線湾曲を補正すれば、走査線湾曲の相対差をなくすことができる。これによって、少なくとも一つの走査線は調整不要とすることができる。
【００７２】
なお、図９を説明すると、出射されたレーザービーム203ａ、203ｂはそれぞれ、回転多面鏡207の異なる面を利用して２方向に導かれ、複数の走査レンズ210ａ、210ｂを透った後に、複数の折り返しミラー211ａ、211ｂにて反射されて複数の異なる感光体ドラム12に導かれる。
【００７３】
前述した実施形態１〜３は、ミラーを押圧する板バネをミラー長手方向（主走査方向）にスライドさせて走査線の湾曲を補正したが、以下に示す実施形態は、板バネの位置は固定したまま板バネに取り付けた移動駒をミラー長手方向にスライドさせることによって走査線の湾曲を補正するものである。
【００７４】
〔第４実施形態〕
図１１は実施形態４の光学走査装置の斜視図、図１２(a)はミラー11の一方の端部付近に設けられた走査線湾曲補正機構１００Ｒの斜視図、図１２(b)は、図１２(a)をY方向から見たときの断面図である。なお、前述の実施形態と同一の機能を有する部材には同じ番号を付してあり、再度の説明は省略する。また、走査線湾曲補正機構１００Ｌの構造は１００Ｒと同じである。
【００７５】
本実施形態の光学走査装置も、実施形態１〜３同様、ミラー11の両端部付近に走査線湾曲補正機構１００Ｒ、１００Ｌが設けられている。  折り返しミラー11は、レーザービーム３が走査される主走査方向が長手になるように光学箱５内に配置されている。折り返しミラー11の長手方向両端部付近の下部（反射面14と、反射面14に隣接する面16）は、樹脂製の光学箱５の一部であるミラー支持部材13（台座15、17）に載置されている。一方、折り返しミラー11の長手方向両端部付近の上部（反射面14とは反対側の面）は、板バネ（押圧部材）180によって押さえつけられている。この板バネ180は、ネジ185によって光学箱5に取り付けられる固定部180Ａと、ミラーを押圧する力を付与するばね部180Ｂを有する。ばね部180Ｂにはミラー長手方向にスライド可能な移動駒（駒部）190が取り付けられており、この移動駒190がミラーの反射面14とは反対側の面に接触し、押圧点（力点）を形成している。一方、台座15が支点となる。なお移動駒190は、ばね部180Ｂの両面からばね部180Ｂを挟み込むようにばね部180Ｂに取り付けられている。板バネ180は金属製であるが、移動駒190は樹脂製である。
【００７６】
移動駒190は、板バネ180のばね部180Ｂと折り返しミラー11との間に挟まれる押圧部190Ａを有し、押圧部190Ａを介して板バネ180の押圧力が折り返しミラー11に伝達される。また、移動駒190は、板バネ180が折り返しミラー11を押圧した状態を保ちつつ（即ち、ネジ185を緩めることなく）、折り返しミラー11の長手方向に手動で移動可能になっている。
【００７７】
図１３は移動駒190の押圧位置（押圧点）を折り返しミラー11の長手方向に移動させた場合の、折り返しミラー11の変形の様子を示す図である。図１３（ａ）、図１３（ｂ）、図１３（ｃ）は、ミラーの長手方向両端部付近を矢印Ａ方向（図１２（ｂ））から見た模式図である。
【００７８】
図１３（ａ）では、二つの移動駒190がミラー長手方向において左右のミラー支持部（支点）13Ｌ、13Ｒと重なる位置を押圧している。このため、折り返しミラー11が受ける負荷は殆どなく、ほぼ自然な形状を維持している。図１３（ｂ）では、移動駒19が左右のミラー支持部13Ｌ、13Ｒよりも外側を押圧している。このため、折り返しミラー11が凸状に撓む。図３（ｃ）では、移動駒19が左右のミラー支持部13Ｌ、13Ｒより内側を押圧している。このため、折り返しミラー11が凹状に撓む。
【００７９】
このように、本実施形態の走査線湾曲補正機構100も、実施形態１〜３同様、支持部材13による支持点（支点）と押圧部材180による押圧点（力点）190の間のミラー長手方向の距離ｄが調整可能になっている。また、支持部材13の位置は固定されており、押圧点190の位置がミラー長手方向に調整可能になっている。更に、押圧部材の駒190をミラー長手方向に移動させることにより押圧点の位置が調整可能になっている。更に、押圧部材による押圧点の位置は、ミラー長手方向に関し支持部材による支点の位置を越えて移動可能になっている。したがって、走査線の湾曲補正の自由度が大きく、湾曲補正前の走査線形状が凹形状であっても凸形状であっても対応できる。
【００８０】
更に本実施形態においては、走査線の湾曲を補正する際に、板バネ180が折り返しミラー11を押圧した状態を保ちつつ（即ち、ネジ185を緩めることなく）、移動駒190が折り返しミラー11の長手方向に手動で移動可能になっている。このため、容易に走査線の湾曲を補正することができる。なお、移動駒190の位置を調整した後は、移動駒はミラー11との摩擦力で調整後の位置を維持する。
【００８１】
特に、複数の光学走査装置を用いたタンデム式のカラー画像形成装置においては、各色の走査線湾曲の度合いを小さく抑えること、加えて湾曲の凸凹方向を揃えることが重要である。本実施形態の光学走査装置を用いれば、走査線の湾曲度合いが小さく、色ずれも抑えることができる。
【００８２】
なお、走査線の湾曲を補正した後、移動駒が移動しないように、移動駒を板バネに接着剤等で固定しても構わない。
【００８３】
〔第５実施形態〕
図１４は第５実施形態の光学走査装置に設けられた走査線湾曲補正機構の断面図である。図１４はミラーの長手方向一端部付近を示したものであり、他端部付近にも図１４と同様の走査線湾曲補正機構があるが説明は省略する。本実施形態の走査線湾曲補正機構も、押圧部材による押圧点の位置（駒の位置）がミラー長手方向に関しミラー支持部材（台座）による支点の位置を越えて移動可能になっているが、この点に関しては実施形態１〜４と同様なので説明は省略する。
【００８４】
実施形態４と同様に、折り返しミラー11は、まず、左右のミラー支持部13Ｒ、13Ｌに載置される。その後、折り返しミラー11は、板バネ280及び移動駒290によって上方から押圧され固定される。前述の実施形態と同様、板バネ280はネジ185によって光学箱に固定されており、移動駒290が折り返しミラー11の長手方向に移動可能になっている。移動駒290を移動させることにより、走査線の湾曲補正が行える。
【００８５】
本実施形態の走査線湾曲補正機構の構造を図１４（ａ）、（ｂ）を用いて説明する。折り返しミラー11の長手方向両端部付近の上部（反射面とは反対側の面）は、板バネ（押圧部材）280によって押さえつけられている。この板バネ280は、ネジ185によって光学箱に取り付けられる固定部280Ａと、ミラーを押圧する力を付与するばね部280Ｂを有する。ばね部280Ｂにはミラー長手方向にスライド可能な移動駒（駒部）290が取り付けられており、この移動駒290がミラーの反射面とは反対側の面に接触し、押圧点（力点）を形成している。移動駒290は、ばね部280Ｂの両面からばね部280Ｂを挟み込むようにばね部280Ｂに取り付けられている。
【００８６】
移動駒290は、板バネ280のばね部280Ｂと折り返しミラー11との間に挟まれる押圧部290Ａを有し、押圧部290Ａを介して板バネ280の押圧力が折り返しミラー11に伝達される。また、移動駒290は、板バネ280が折り返しミラー11を押圧した状態を保ちつつ（即ち、ネジ185を緩めることなく）、折り返しミラー11の長手方向に手動で移動可能になっている。なお、移動駒290の位置を調整した後は、移動駒はミラー11との摩擦力で調整後の位置を維持する。
【００８７】
また、本実施形態の板バネ280には、移動駒290を案内する溝（案内部）280Ｃが折り返しミラー11の長手方向に沿って形成されている。この板バネ280に移動可能に取り付けられている移動駒290は、ミラー11に接触する押圧部290Ａ以外に、板バネの溝280Ｃに嵌まり込む凸部290Ｂ、及び移動駒290を動かす際に指で掴むための取っ手290Ｃを有する。移動駒290の凸部290Ｂの幅（移動方向に対し交差する方向の長さ）は板バネの溝280Ｃの幅より若干狭い。
【００８８】
このように、本実施形態の移動駒290は取っ手290Ｃを有するので非常に動かしやすくなっている。また、移動駒290の凸部290Ｂが板バネ280の溝280Ｃ内を摺動する構成であるので、移動駒290をスムーズに移動させることができ、走査線湾曲補正をより容易なものとしている。
【００８９】
〔第６実施形態〕
図１５は第６実施形態の光学走査装置に設けられた走査線湾曲補正機構の斜視図である。図１５はミラーの長手方向一端部付近を示したものであり、他端部付近にも図１５と同様の走査線湾曲補正機構があるが説明は省略する。本実施形態の走査線湾曲補正機構も、押圧部材による押圧点の位置（駒の位置）がミラー長手方向に関しミラー支持部材（台座）による支点の位置を越えて移動可能になっているが、この点に関しても実施形態１〜５と同様なので説明は省略する。
【００９０】
実施形態４と同様に、折り返しミラー11は、まず、左右のミラー支持部13Ｒ、13Ｌに載置される。その後、折り返しミラー11は、板バネ380及び移動駒390によって上方から押圧され固定される。前述の実施形態と同様、板バネ380はネジ（不図示）によって光学箱に固定されており、移動駒390が折り返しミラー11の長手方向に移動可能になっている。移動駒390を移動させることにより、走査線の湾曲補正が行える。
【００９１】
図１５に示すように、本実施形態の板バネ380は、ネジ（不図示）によって光学箱に取り付けられる固定部380Ａと、ミラーを押圧する力を付与するばね部380Ｂを有する。ばね部380Ｂにはミラー長手方向にスライド可能な移動駒（駒部）390が取り付けられており、この移動駒390がミラーの反射面とは反対側の面に接触し、押圧点（力点）を形成している。移動駒390は、ばね部380Ｂの両面からばね部380Ｂを挟み込むようにばね部380Ｂに取り付けられている。
【００９２】
移動駒390は、板バネ380のばね部380Ｂと折り返しミラー11との間に挟まれる押圧部（不図示）を有し、押圧部を介して板バネ380の押圧力が折り返しミラー11に伝達される。また、移動駒390は、板バネ380が折り返しミラー11を押圧した状態を保ちつつ（即ち、ネジを緩めることなく）、折り返しミラー11の長手方向に手動で移動可能になっている。
【００９３】
また、本実施形態の板バネ380にも、移動駒390を案内する溝380Ｃが折り返しミラー11の長手方向に沿って形成されている。この板バネ380に移動可能に取り付けられている移動駒390は、ミラー11に接触する押圧部以外に、板バネの溝380Ｃに嵌まり込む二つの凸部390Ｂ、及び二つの凸部390Ｂの間に設けられた弾性部390Ｃを有する。移動駒390は樹脂製であり、弾性部390Ｃは移動駒390本体に対して可撓性を有し、先端には爪部390Ｄを有する。移動駒390の凸部390Ｂの幅（移動方向に対し交差する方向の長さ）は板バネの溝380Ｃの幅より若干狭い。
【００９４】
また、板バネ380の溝部380Ｃの底面には、移動駒390の爪部390Ｄが係止するラック(rack)部380Ｄが設けられている。このラック部380Ｄは、折り返しミラー11の長手方向に、板バネ380のほぼ全域に設けられている。
【００９５】
移動駒390をミラー長手方向に移動させると、弾性部390Ｃがラック部380Ｄの凹凸形状に合わせて撓み、爪部390Ｄがラック部380Ｄの山を乗り上げながら移動する。所望の位置まで移動駒390を移動させると爪部390Ｄがラック部380Ｄの凹部で停止し、移動駒390の位置が決まる。つまり、本実施形態の押圧部材は移動駒（駒部）の移動を規制する移動規制機構を有する。
【００９６】
このように、移動駒（駒部）の移動を規制する移動規制機構を設けたので、多少の衝撃が加わっても移動駒390は調整後の位置を維持しやすくなっている。このため、走査線湾曲補正後に接着剤等で移動駒390を固定する処置が必要なくなり、組み立ての手間を省くことが出来る。
【００９７】
上述した実施形態1〜6ではミラーの湾曲度合いを調整して走査線の湾曲を補正したが、調整の対象となる光学素子はｆθレンズであってもよい。図16はｆθレンズ10の長手方向両端部付近に走査線湾曲補正機構を設けた例を示す図である。図16に示す走査線湾曲補正機構は、実施形態１〜３と同様に板バネ（押圧部材）480の位置を主走査方向（矢印方向）に調整するタイプであり、支持部材130Ｒ（130Ｌ）による支点と板バネ480による押圧点の間のレンズ長手方向（主走査方向）の距離が調整可能になっている。板バネ480を動かすタイプの走査線湾曲補正機構の代わりに、実施形態４〜６のように移動駒を用いるタイプの走査線湾曲補正機構でもかまわない。
【００９８】
本発明は上述の例にとらわれるものではなく、技術思想内の変形を含むものである。
【図面の簡単な説明】
【００９９】
【図１】本発明の実施形態１の光学走査装置の斜視図。
【図２】折り返しミラーの長手方向両端部付近に設けた走査線湾曲補正機構の斜視図及び断面図。
【図３】押圧部材を主走査方向に移動させて折り返しミラーを撓ませた状態を示した模式図。
【図４】押圧部材の移動方向と走査線の湾曲方向の関係を説明するための斜視図。
【図５】ミラー支持部材の支持点から板バネの押圧点までの距離ｄと走査線の湾曲量との関係を示す図。
【図６】本発明の実施形態２の光学走査装置に設けた走査線湾曲補正機構の斜視図、断面図、及び上面図。
【図７】本発明の実施形態３の光学走査装置に設けた走査線湾曲補正機構の斜視図、断面図、及び上面図。
【図８】本発明の光学走査装置を搭載した画像形成装置の概略断面図。
【図９】本発明の実施形態の走査線湾曲補正機構を搭載可能な他の光学走査装置の説明図。
【図１０】図５の距離ｄと湾曲量の関係を調べる際に用いた折り返しミラーのサイズと押圧方向を示した斜視図。
【図１１】本発明の実施形態４の光学走査装置の斜視図。
【図１２】本発明の実施形態４の光学走査装置に設けた走査線湾曲補正機構の斜視図及び断面図。
【図１３】押圧部材の移動駒を移動させた際のミラーの湾曲状態を示した模式図。
【図１４】本発明の実施形態５の光学走査装置に設けた走査線湾曲補正機構の斜視図及び断面図。
【図１５】本発明の実施形態６の光学走査装置に設けた走査線湾曲補正機構の斜視図及び断面図。
【図１６】本発明の実施形態の走査線湾曲補正機構をｆθレンズの両端部に取り付けた例を示す斜視図。
【符号の説明】
【０１００】
１…光学走査装置、７…回転多面鏡（偏向器）、11…折り返しミラー（光学素子）、13…ミラー支持部材（支持部材）、18…板バネ（押圧部材）
【図１】
2006065310.tif 000003
【図２】
2006065310.tif 000004
【図３】
2006065310.tif 000005
【図４】
2006065310.tif 000006
【図５】
2006065310.tif 000007
【図６】
2006065310.tif 000008
【図７】
2006065310.tif 000009
【図８】
2006065310.tif 000010
【図９】
2006065310.tif 000011
【図１０】
2006065310.tif 000012
【図１１】
2006065310.tif 000013
【図１２】
2006065310.tif 000014
【図１３】
2006065310.tif 000015
【図１４】
2006065310.tif 000016
【図１５】
2006065310.tif 000017
【図１６】
2006065310.tif 000018